(57)【要約】      （修正有）【課題】簡易な構造でコンセントの使用を規制することのできるコンセントカバーセットの提供を目的とする。【解決手段】非円形断面形状を有し、中間位置に係止部１を備えた操作キー２と、扁平なボディ部３にコンセントのプラグ差し込み口に挿入されるダミー栓刃６を保持したコンセントカバー７とを有し、前記コンセントカバー７には、前記操作キー２が挿入可能なキー挿入開口８が開設されるとともに、キー挿入開口８の内周壁には、操作キー２の挿入後の回転操作により前記係止部１に係合してコンセントカバー７からの抜去を規制する被係止部９を設けて構成する。【選択図】図３
2010160997.tif 000002
【特許請求の範囲】
【請求項１】
非円形断面形状を有し、中間位置に係止部を備えた操作キーと、
扁平なボディ部にコンセントのプラグ差し込み口に挿入されるダミー栓刃を保持したコンセントカバーとを有し、
前記コンセントカバーには、前記操作キーが挿入可能なキー挿入開口が開設されるとともに、キー挿入開口の内周壁には、操作キーの挿入後の回転操作により前記係止部に係合してコンセントカバーからの抜去を規制するする被係止部が設けられるコンセントカバーセット。
【請求項２】
前記キー挿入開口の開放端は、操作キーの断面形状にほぼ一致し、操作キーが挿通可能なキャップ部材により覆われる請求項１記載のコンセントカバーセット。
【請求項３】
矩形断面形状を有し、中間位置に凹状の係止部を備えた操作キーと、
扁平なボディ部にコンセントのプラグ差し込み口に挿入されるダミー栓刃を保持したコンセントカバーとを有し、
前記コンセントカバーには、前記操作キーにより回転操作可能なシリンダ錠が装着されるコンセントカバーセット。
【請求項４】
前記係止部が操作キーの長手方向複数箇所に形成される請求項１、２または３記載のコンセントカバーセット。
【請求項５】
コンセントのプラグ差し込み口に挿入されるダミー栓刃を保持する扁平なボディ部を有し、
前記ボディ部には、非円形断面形状を有する操作キーが外周の複数箇所で摺接して適宜角度回転操作可能に挿入可能なキー挿入開口が開設されるとともに、
キー挿入開口の内周壁には、前記操作キーの回転操作時に該操作キーに形成された凹状の係止部に係止する突部からなる被係止部が設けられるコンセントカバー。
【請求項６】
前記ダミー栓刃が導電材料により形成されるとともに、
ボディ部内には、コンセントのコンタクトにプラグイン接続されるダミー栓刃に接続され、前記コンセントからの給電を受けて発光してボディ部外部に投光される照明手段が収容される請求項１から５のいずれかに記載のコンセントカバー。
【発明の詳細な説明】
【技術分野】
【０００１】
本発明は、コンセントカバーセットに関するものである。
【背景技術】
【０００２】
コンセントのプラグ差し込み口を閉塞するカバーとしては、以下に示す特許文献に記載のものが知られている。この従来例において、コンセントにはスライド扉状のカバーが装着された枠状本体が固定される。
【０００３】
カバーにはキーカードにより施解錠操作される機械式カード錠が取り付けられ、プラグ差し込み口を開閉する位置に保持させることができる。
【先行技術文献】
【特許文献】
【０００４】
【特許文献１】実用新案登録第３１４３８２１号公報
【発明の概要】
【発明が解決しようとする課題】
【０００５】
しかし、上述した従来例は構造が複雑で簡易にコンセントの使用を規制するのに適さないという問題がある。
【０００６】
本発明は、以上の欠点を解消すべくなされたものであって、簡易な構造でコンセントの使用を規制することのできるコンセントカバーセットの提供を目的とする。また、本発明の他の目的は、上記コンセントカバーセットに使用可能なコンセントカバーの提供にある。
【課題を解決するための手段】
【０００７】
本発明によれば上記目的は、
非円形断面形状を有し、中間位置に係止部１を備えた操作キー２と、
扁平なボディ部３にコンセント４のプラグ差し込み口５に挿入されるダミー栓刃６を保持したコンセントカバー７とを有し、
前記コンセントカバー７には、前記操作キー２が挿入可能なキー挿入開口８が開設されるとともに、キー挿入開口８の内周壁には、操作キー２の挿入後の回転操作により前記係止部１に係合してコンセントカバー７からの抜去を規制するする被係止部９が設けられるコンセントカバーセットを提供することにより達成される。
【０００８】
コンセントカバー７は、扁平で摘みにくい形状に形成されるボディ部３にコンセント４のプラグ差し込み口５から挿入されるダミー栓刃６を保持して形成される。コンセントカバー７をコンセント４に装着した状態で、扁平なボディ部３への抜去方向の操作力付与が困難で、かつ、コンセントカバー７には、コンセント４のコンタクト端子によるダミー栓刃６への圧接力により適宜の保持力が与えられるために、容易に取り外すことができない。
【０００９】
操作キー２は、コンセント４に装着されたコンセントカバー７を取り外すために用意された非円形断面形状を有する杆状体で、中間位置に凹状、あるいは突状の係止部１が形成される。コンセントカバー７のボディ部３に形成されるキー挿入開口８は、上記操作キー２が挿入可能な形状に形成され、初期挿入位置から径方向に操作キー２の係止部１が係止可能な被係止部９が形成される。
【００１０】
操作キー２は、非円形形状であれば、例えば、楕円形、矩形等、適宜の断面形状に形成することが可能であり、キー挿入開口８は、操作キー２の円滑な操作を可能にするために、操作キー２が外周の複数箇所で摺接する径寸法に形成するのが望ましい。
【００１１】
被係止部９は、係止部１が突状に形成される場合には溝形状に、係止部１が凹状に形成される場合には、突起状に形成される。操作キー２の係止部１、および被係止部９は、工具等による被係止部への不正操作に対する拒否の必要性に応じて１を含む適数個形成される。
【００１２】
したがってこの発明において、コンセント４にコンセントカバー７を装着した状態で、操作キー２を挿入し、回転操作すると、操作キー２の係止部１がキー挿入開口８の被係止部９に係止する。係止状態において操作キー２とコンセントカバー７とは引き抜き方向に連結されるために、操作キー２に引き抜き力を与えることにより簡単に取り外すことができる。また、操作キー２は、被係止部９に合致する位置に係止部１を有していない場合には回転操作することができないために、所定の操作キー２以外の工具等による取り外し操作をすることはできない。
【００１３】
また、コンセントカバーセットは、
矩形断面形状を有し、中間位置に凹状の係止部１を備えた操作キー２と、
扁平なボディ部３にコンセント４のプラグ差し込み口５に挿入されるダミー栓刃６を保持したコンセントカバー７とを有し、
前記コンセントカバー７には、前記操作キー２により回転操作可能なシリンダ錠１１が装着されるように構成することができる。
【００１４】
シリンダ錠１１は所定の凹状の係止部１が解錠コードとして形成された操作キー２を挿入した場合にのみ回転操作可能であり、回転操作すると、キー抜き差し位置以外の回転位置でのキー抜き差しが規制される。したがって、キー抜き差し位置を操作キー２の初期挿入位置にのみ設定しておくと、所定の操作キー２を挿入した後、回転させて引き抜き力を与えることによりコンセントカバー７に取り外し力を負荷させることができる。
【００１５】
以上のコンセントカバーセットには、
コンセント４のプラグ差し込み口５に挿入されるダミー栓刃６を保持する扁平なボディ部３を有し、
前記ボディ部３には、非円形断面形状を有する操作キー２が外周の複数箇所で摺接して適宜角度回転操作可能に挿入可能なキー挿入開口８が開設されるとともに、
キー挿入開口８の内周壁には、前記操作キー２の回転操作時に該操作キー２に形成された凹状の係止部１に係止する突部からなる被係止部９が設けられるコンセントカバー７が使用できる。
【発明の効果】
【００１６】
本発明によれば、簡易な構造でコンセントの使用を規制することができる。
【図面の簡単な説明】
【００１７】
【図１】本発明を示す図で、（ａ）は正面図、（ｂ）は（ａ）の１Ｂ-１Ｂ線断面図、（ｃ）は（ａ）の１Ｃ-１Ｃ線断面図である。
【図２】コンセントカバーの分解斜視図である。
【図３】コンセントカバーの使用状態を示す図で、（ａ）は斜視図、（ｂ）は操作キーを挿入した状態の図１（ｂ）に対応する断面図、（ｃ）は図１（ｃ）に対応する断面図、（ｄ）は図３（ｂ）の３Ｄ線断面図である。
【図４】係止部を被係止部に係止させた状態を示す図で、（ａ）は図３（ｂ）に対応する断面図、（ｂ）は図３（ｃ）に対応する断面図、（ｃ）は図３（ｄ）に対応する断面図である。
【図５】本発明の第２の実施の形態を示す図で、（ａ）は断面図、（ｂ）は（ａ）の５Ｂ-５Ｂ線断面図である。
【図６】本発明の第３の実施の形態を示す分解斜視図である。
【図７】図６の詳細を示す図で、（ａ）は分解斜視図、（ｂ）はベースを取り除いた状態をしめす背面図である。
【発明を実施するための形態】
【００１８】
図１以下に示すように、コンセントカバーセットは、コンセント４に装着されるコンセントカバー７と、装着状態のコンセントカバー７を取り外す際に使用される操作キー２とから構成される。
【００１９】
図１（ｃ）に示すように、操作キー２は、シリンダ錠に使用される解錠キーと同様に、金属板材により形成され、幅狭面に所定ピッチで係止部１が刻設される。
【００２０】
コンセントカバー７は、コンセント４のプラグ差し込み口５から挿入され、図外のコンタクト端子に圧接するダミー栓刃６をボディ部３に固定して形成される。ダミー栓刃６は、通常のプラグに使用されるプラグ栓刃をそのまま使用することもできるが、ダミー栓刃６を導電体により形成する場合には、後述する構成部品を介して極間短絡が生じないように、短絡路を形成する虞のある部品は絶縁材料により形成される。
【００２１】
図２に示すように、ボディ部３はベース３ａにカバー３ｂを積層し、ベース３ａ側からねじ込まれるねじ３ｃにより連結して形成され、ダミー栓刃６、および筒半体１２が共締め、固定される。ベース３ａに固定するために、ダミー栓刃６の一端にはねじ挿通孔６ａを備えた固定片６ｂが折曲形成される。
【００２２】
また、上記筒半体１２は、各々ねじ挿通孔１２ａを備えた固定翼１２ｂを備えており、固定状態において筒形状となってキー挿入開口８を構成し、このキー挿入開口８の開口端を閉塞するようにしてキャップ部材１０が装着される。キャップ部材１０は、上記操作キー２が挿通可能な断面形状（本実施の形態においては矩形）のキー挿通孔１０ａを備え、頭部をカバー３ｂの透孔３ｄに挿通させた状態でカバー３ｂに対して空転自在に装着される。
【００２３】
筒半体１２の上端とキー挿入開口８の開口端を閉塞するようにして各筒半体１２の内周壁面には上記操作キー２に凹設される係止部１に係止可能な被係止部９が突設される。
【００２４】
被係止部９は、図３（ｂ）、（ｃ）に示すように、操作キー２の挿入を妨げることのないように、操作キー２の挿入経路を避けてキー挿入開口８の内周壁に突設される。上下反転使用が可能なように、対向する幅狭面に同一深さの係止部１が形成されるこの実施の形態において、被係止部９は、図３（ｄ）に示すように、点対称位置に２個形成される。
【００２５】
したがってこの実施の形態において、装着状態のコンセントカバー７の取り外し操作は、図３に示すように、操作キー２を挿入して行われる。挿入した操作キー２が被係止部９に合致する係止部１を有して真正であるならば、回転操作が可能であり、回転操作によって、図４（ｃ）に示すように、操作キー２の係止部１にキー挿入開口８側の被係止部９が係止する。この状態で操作キー２とキー挿入開口８、すなわち、コンセントカバー７は操作キー２の軸長方向に連結されており、次いで、操作キー２に引き抜き力を作用させると、コンタクト端子による保持力に抗してコンセントカバー７を取り去ることができる。
【００２６】
図５に本発明の第２の実施の形態を示す。なお、この実施の形態の説明において、上述した実施の形態と実質的に同一の構成要素は図中に同一符号を付して説明を省略する。
【００２７】
この実施の形態は被係止部９の変形を示すもので、ベース３ａには、シリンダケース１１ａにシリンダ１１ｂを回転自在に挿入したシリンダ錠１１が固定される。シリンダ錠１１のシリンダ１１ｂには、適数のタンブラ１１ｃがシリンダ１１ｂの回転軸に対して直交方向に移動自在に装着され、初期回転位置からの回転を規制している。
【００２８】
タンブラ１１ｃが操作キー２の係止部１に合致した操作キー２をシリンダ１１ｂに挿入すると、操作キー２を挿入しない状態でシリンダケース１１ａとシリンダ１１ｂとの回転境界を閉塞することによってシリンダ１１ｂの回転を規制したいたタンブラ１１ｃは、シリンダケース１１ａとシリンダ１１ｂとの回転境界から待避し、結果、シリンダ１１ｂへの回転操作が可能になる。この状態でシリンダ１１ｂを回転させると、タンブラ１１ｃのシリンダ１１ｂからの飛び出し方向の移動はシリンダケース１１ａの周壁により規制されるために、操作キー２を引き抜く際の切り込みの深い係止部１から浅い切り込みの係止部１への移動が不可能となるために、操作キー２のシリンダ１１ｂからの抜去が不能となる。
【００２９】
この状態で、操作キー２とシリンダ錠１１とは軸長方向に連結された状態となるために、操作キー２への引き抜き力をコンセントカバー７に伝えることができる。
【００３０】
図６、７に本発明の第３の実施の形態を示す。この実施の形態は、コンセントカバー７に照明手段１３を設けた変形を示し、照明手段１３は、実装基板１４上に実装されるＬＥＤ１３ａと、導光体１３ｂとからなる。
【００３１】
導光体１３ｂは、中央部にキャップ部材１０の挿通リング部１３ｄを有して光透過性を有する材料に形成され、取付リング部１３ｅにおいて筒半体１２等と共締めされる。また、導光体１３ｂには、ＬＥＤ１３ａを受容するＬＥＤ収容部１３ｃが形成される。
【００３２】
一方、ダミー栓刃６は、通常の栓刃と同様に導電材料により形成され、このダミー栓刃６にリード線１６を介して電源モジュール１５が接続される。電源モジュール１５は、ダミー栓刃６、すなわち、コンセント４から入力をＡＣ／ＤＣ変換するとともに降圧してリード線１４ａを経由して実装基板１４に給電する。
【００３３】
したがってこの実施の形態において、コンセントカバーのダミー栓刃６をコンセント４に差し込むと、ＬＥＤ１３ａが発光する。ＬＥＤ１３ａからの発光光は、ＬＥＤ収容部１３ｃを経由して挿通リング部１３ｄに導かれた後、キャップ部材１０の周縁から外部に漏光する。
【００３４】
この結果、夜間等であっても、利用者は、コンセントカバー７の位置、すなわちコンセント４の位置を知ることができる。
【符号の説明】
【００３５】
１        係止部
２        操作キー
３        ボディ部
４        コンセント
５        プラグ差し込み口
６        ダミー栓刃
７        コンセントカバー
８        キー挿入開口
９        被係止部
１０      キャップ部材
１１      シリンダ錠
１３      照明手段
【図１】
2010160997.tif 000003
【図２】
2010160997.tif 000004
【図３】
2010160997.tif 000005
【図４】
2010160997.tif 000006
【図５】
2010160997.tif 000007
【図６】
2010160997.tif 000008
【図７】
2010160997.tif 000009